【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
歯を受入れる形状をもつ複数のキャビティを備えたポリマーシェルを有する着脱可能な矯正アライナを有し、シェルはキャビティからシェルを通って延びている少なくとも１つの開口を備え、  歯に治療力を加えるべく、矯正アライナのシェルの開口を通して挿入されかつ該開口により保定される矯正アライナ補助具を更に有することを特徴とする矯正治療用器具。
【請求項２】
前記矯正アライナ補助具は更に、  矯正アライナのシェルの開口にスナップ嵌合により固定可能でかつねじ孔を備えているナットと、  該ナットと調節可能に螺合するねじ部分とを有することを特徴とする請求項１記載の矯正治療用器具。
【請求項３】
前記矯正アライナ補助具はシェルの開口に接合されることを特徴とする請求項１記載の矯正治療用器具。
【請求項４】
前記矯正アライナ補助具は、開口を通ってシェルのキャビティ内に延入する突出部を有しかつ歯に治療力を加えることを特徴とする請求項１記載の矯正治療用器具。
【請求項５】
前記矯正アライナ補助具は、漸次変化する長さをもつ複数の着脱可能なタックからなり、各タックは所定の連続経過時間でシェルの開口に固定されかつ該開口から取外され、これにより、漸次変化する治療力を歯に加えることができることを特徴とする請求項１記載の矯正治療用器具。
【請求項６】
前記矯正アライナ補助具は、弾性が漸次変化する複数の着脱可能なタックからなり、各タックは所定の連続経過時間でシェルの開口に固定されかつ該開口から取外され、これにより、漸次変化する治療力を歯に加えることができることを特徴とする請求項１記載の矯正治療用器具。
【請求項７】
前記開口はシェルを貫通しており、前記矯正アライナ補助具は、  シェルの開口より大きいヘッドと、  シェルの開口と係合する周方向溝と、  該周方向溝が開口と係合するように、シェルの開口を通って挿入可能なチップとを有することを特徴とする請求項１記載の矯正治療用器具。
【請求項８】
前記チップはテーパ状であることを特徴とする請求項７記載の矯正治療用器具。
【請求項９】
前記シェルの開口に固定可能な装飾アタッチメントを更に有することを特徴とする請求項１記載の矯正治療用器具。
【請求項１０】
前記矯正アライナ補助具は、放射線不透過性マーカを更に有することを特徴とする請求項１記載の矯正治療用器具。
【請求項１１】
前記シェルは歯から延びている複数の開口を有し、矯正アライナ補助具は各開口に固定されて歯に偶力を加えることを特徴とする請求項１記載の矯正治療用器具。
【請求項１２】
前記矯正アライナ補助具は、隣接歯同士の間の歯間腔内に延入して、シェルを歯に完全に座合させた状態に保定する保定力を加える突出部を更に有することを特徴とする請求項１記載の矯正治療用器具。
【請求項１３】
歯を受入れる形状をもつ複数のキャビティを備えたポリマーシェルを有する着脱可能な矯正アライナを有し、該矯正アライナは、  （ａ）少なくとも１つの開口を備えた第一組の歯と係合する第一セグメントと、  （ｂ）第二組の歯と係合すべく第一セグメントに対して移動可能でかつ少なくとも１つの開口を備えた第二セグメントとを備え、  第一セグメントの開口に固定可能な第一矯正アライナ補助具と、  第二セグメントの開口に固定可能な第二矯正アライナ補助具と、  第一および第二組の歯に治療力を加えるべく、第一矯正アライナ補助具と第二矯正アライナ補助具との間で延びる連結部材とを更に有することを特徴とする矯正治療用器具。
【請求項１４】
前記連結部材は引寄せデバイスからなることを特徴とする請求項１３記載の矯正治療用器具。
【請求項１５】
前記連結部材は拡大デバイスからなることを特徴とする請求項１３記載の矯正治療用器具。
【請求項１６】
歯を受入れる形状をもつ複数のキャビティを備えたポリマーシェルを有する着脱可能な矯正アライナを形成する段階と、  キャビティからシェル内に延びている少なくとも１つの開口を形成する段階と、  矯正アライナ補助具を矯正アライナのシェルの開口を通して挿入する段階とを有し、これにより矯正アライナ補助具はスナップ嵌合により開口内に保定されて、歯に治療力を加えることを特徴とする矯正治療方法。
【請求項１７】
前記矯正アライナ補助具はシェルの開口に接合されることを特徴とする請求項１６記載の矯正治療方法。
【請求項１８】
前記開口に隣接するシェルを塑性変形させる段階を更に有することを特徴とする請求項１６記載の矯正治療方法。
【請求項１９】
歯を受入れる形状をもつ複数のキャビティが設けられたポリマーシェルを備えた着脱可能な矯正アライナを設ける段階を有し、矯正アライナは第一組の歯と係合する第一セグメントおよび第二組の歯と係合する第二セグメントを備え、第一および第二セグメントは互いに移動でき、  矯正アライナの第一セグメントに第一開口を形成する段階と、  矯正アライナの第二セグメントに第二開口を形成する段階と、  第一開口に第一矯正アライナ補助具を固定する段階と、  第二開口に第二矯正アライナ補助具を固定する段階と、  第一および第二組の歯に治療力を加えるべく、第一矯正アライナ補助具と第二矯正アライナ補助具との間に連結部材を取付ける段階とを更に有することを特徴とする矯正治療方法。
【請求項２０】
前記連結部材は引寄せデバイスからなることを特徴とする請求項１９記載の矯正治療方法。
【請求項２１】
前記連結部材は拡大デバイスからなることを特徴とする請求項１９記載の矯正治療方法。
【請求項２２】
歯を受入れる形状をもつ複数のキャビティを備えたポリマーシェルを有する着脱可能な矯正アライナを形成する段階と、  キャビティからシェル内に延びている少なくとも１つの開口を形成する段階と、  複数の矯正アライナ補助具の各々を所定の連続経過時間で矯正アライナのシェルの開口に着脱可能に固定する段階とを有し、これにより、矯正アライナ補助具は漸次変化する治療力を歯に加えることができることを特徴とする矯正治療方法。
【請求項２３】
前記矯正アライナ補助具は、漸次変化する長さをもつ複数の着脱可能なタックからことを特徴とする請求項２２記載の矯正治療方法。
【請求項２４】
前記矯正アライナ補助具は、弾性が漸次変化する複数の着脱可能なタックからることを特徴とする請求項２２記載の矯正治療方法。
【請求項２５】
歯を受入れる形状をもつ複数のキャビティを備えたポリマーシェルを有する着脱可能な矯正アライナを有し、シェルはシェルを通ってキャビティ内に延びている少なくとも１つの開口を備え、  歯に治療力を加えるべく、シェルの開口を着脱可能に挿通できかつスナップ嵌合により開口により保定されるタックを更に有し、該タックは、  （ａ）シェルの開口より大きいが、外力を加えて開口を一時的に拡大させることにより開口に挿通できるチップと、  （ｂ）シェルの開口より大きいヘッドとを備え、これにより、チップが開口に挿通された後にチップとタックのヘッドとの間にシェルが係合することを特徴とする矯正治療用器具。
【請求項２６】
前記タックは弾性ポリマーからなることを特徴とする請求項２５記載の矯正治療用器具。
【請求項２７】
前記タックはシェルの開口を通ってキャビティから挿入され、ヘッドはキャビティ内に残って歯に治療力を加えることを特徴とする請求項２５記載の矯正治療用器具。
【請求項２８】
前記タックのチップはシェルの開口を通ってキャビティ内に挿入され、歯に治療力を加えることを特徴とする請求項２５記載の矯正治療用器具。
【請求項２９】
前記タックは、シェルの開口と係合するための、チップとヘッドとの間の周方向溝を更に有することを特徴とする請求項２５記載の矯正治療用器具。
【請求項３０】
前記タックのチップはテーパ状であることを特徴とする請求項２５記載の矯正治療用器具。